(57)【要約】【課題】迷子に関連する情報の取得及び登録の手間をできる限り省き、また既存の通信システムを利用して迷子情報を配信することが可能な情報通知システムを提供する。【解決手段】本発明の情報通知システムは、放送波の送信を行う送信装置と、放送波の受信を行う受信装置とを含むように構成されている。送信装置は、所定地域、例えば地下街や遊園地等において発生した迷子の迷子画像を含む迷子情報を、放送波に含めて送信する。これを受けた受信装置は、迷子情報取得部により、放送波から迷子情報を抽出する。そして画像解析部により、迷子情報に含まれる迷子画像の解析を行い、迷子画像と一致する、又は近似する画像がメモリ等の記録部に記録されているか否かを判定する。記録されていると判定された場合、通知部が迷子に関する情報を報知する。【選択図】図１
2010033487.tif 000002
【特許請求の範囲】
【請求項１】
放送波の送信を行う送信装置と、
放送波の受信を行う放送受信部、及び情報を記録する記録部を備えた受信装置と
を含む情報通知システムにおいて、
前記送信装置が、予め定められた地域において発生した迷子に関連する迷子画像を含む迷子情報を放送波に含めて送信し、
前記受信装置が、
前記放送受信部により受信した放送波から前記迷子情報を取得する迷子情報取得部と、
前記迷子情報に含まれる前記迷子画像の解析を行い、前記迷子画像と一致する、又は近似する画像が前記記録部に記録されているか否かを判定する画像解析部と、
前記画像解析部により前記迷子画像と一致する、又は近似する画像が記録されていると判定された場合に、迷子に関する情報を報知する通知部とを備えていること
を特徴とする情報通知システム。
【請求項２】
前記送信装置が送信する放送波を受信し、放送波の分割及び多重を行うことにより生成した再送信波の送信を行う中継装置を含み、
前記中継装置が、前記迷子情報を含む前記再送信波を生成して送信し、
前記受信装置が備える前記迷子情報取得部が、前記放送受信部により受信した前記再送信波から前記迷子情報を取得すること
を特徴とする請求項１に記載の情報通知システム。
【請求項３】
前記迷子画像が迷子の顔画像を含み、
前記画像解析部が、前記顔画像に対して顔識別処理を行うことにより、前記迷子画像と一致する、又は近似する画像が前記記録部に記録されているか否かを判定すること
を特徴とする請求項１又は請求項２に記載の情報通知システム。
【請求項４】
前記迷子画像が迷子の指紋画像を含み、
前記画像解析部が、前記指紋画像に対して指紋識別処理を行うことにより、前記迷子画像と一致する、又は近似する画像が前記記録部に記録されているか否かを判定すること    を特徴とする請求項１又は請求項２に記載の情報通知システム。
【請求項５】
前記受信装置が、画像の撮像を行う撮像部と、
前記撮像部により撮像された画像を、前記迷子画像と比較するための比較用画像として前記記録部に登録する画像登録部とを備え、
前記画像解析部が、前記迷子画像と一致する、又は近似する前記比較用画像が前記記録部に記録されているか否かを判定し、記録されている場合に、前記通知部が、迷子に関する情報を報知すること
を特徴とする請求項１〜請求項４のいずれかに記載の情報通知システム。
【請求項６】
放送波の受信を行う放送受信部、及び情報を記録する記録部を備えた受信装置において、
前記放送受信部により受信した放送波から、予め定められた地域において発生した迷子に関連する迷子画像を含む迷子情報を取得する迷子情報取得部と、
前記迷子情報に含まれる前記迷子画像の解析を行い、前記迷子画像と一致する、又は近似する画像が前記記録部に記録されているか否かを判定する画像解析部と、
前記画像解析部により前記迷子画像と一致する、又は近似する画像が記録されていると判定された場合に、迷子に関する情報を報知する通知部とを備えていること
を特徴とする受信装置。
【請求項７】
前記受信装置が、携帯型のポータブルナビゲーション装置であること
を特徴とする請求項６に記載の受信装置。
【請求項８】
請求項１〜請求項５のいずれかに記載の情報通知システムに含まれる送信装置であって、
放送波の送信を行う送信部と、
予め定められた地域において発生した迷子に関連する迷子画像を含む迷子情報を、前記放送部が送信する放送波に含めて送信する迷子情報送信部とを備えたこと
を特徴とする送信装置。
【発明の詳細な説明】
【技術分野】
【０００１】
本発明は、情報通知システム、受信装置、及び送信装置に関するものであり、特に迷子情報の送受信が可能な情報通知システム、受信装置、及び送信装置に関する。
【背景技術】
【０００２】
近年、外出先において迷子が発生した場合において、親が迅速に迷子に関する情報を得るための様々なシステムが提案されている。例えば、アミューズメント施設、百貨店、大型ショッピングモール等のように比較的面積が広く、且つ施設利用者が不規則に移動する施設においては、親が目視のみで迷子を捜すことが難しく、迷子に関する情報通知システムが重要な役割を果たす場合がある。
【０００３】
こうした施設内の情報通知システムの一例として、特許文献１には、迷子探索システムが開示されている。特許文献１の迷子探索システムは、施設内にてＩＤカードを所持する親子が、ＩＤカード登録機にて双方のＩＤカードのＩＤ情報を登録し、この登録情報が施設管理サーバによって施設管理ＤＢ（データベース）に登録される。その後、子供が迷子になると、この迷子を認識した親が、迷子検索端末機で自分のＩＤカードのＩＤを入力する。
【０００４】
すると、このＩＤが施設管理サーバへ送信され、これを受信した施設管理サーバにて施設管理ＤＢから受信ＩＤと同グループの子供のＩＤに関連付けられた写真情報を検索する。検索結果は、迷子預かり所の迷子検索端末機へ送信される。ここで、迷子になった子供が迷子預かり所に保護されている場合、その転送されてきた写真情報と保護中の子供とを係員が照合することによって、迷子本人かどうかを確認することができる。
【特許文献１】特開２００５−２６６９９６号公報
【発明の開示】
【発明が解決しようとする課題】
【０００５】
しかしながら特許文献１の迷子探索システムにおいては、施設入場時等、事前に施設内の登録機にてＩＤ情報や子供の写真情報を登録しなければならない。また、施設毎の登録を必要とするため、利用する施設が変われば再度写真情報を登録する必要があり、利用者に煩わしさを感じさせるという問題があった。
【０００６】
本発明は、上記の問題を鑑みてなされたものであり、迷子の探索に関連する情報の取得作業及び登録作業の手間をできる限り省き、また既存の通信システムを利用しながら、迷子情報をその同伴者に効率的に通知することが可能な情報通知システム、受信装置、及び送信装置を提供することにある。
【課題を解決するための手段】
【０００７】
上記の目的を達成するために本発明の情報通知システムは、放送波の送信を行う送信装置と、放送波の受信を行う放送受信部、及び情報を記録する記録部を備えた受信装置とを含む情報通知システムにおいて、前記送信装置が、予め定められた地域において発生した迷子に関連する迷子画像を含む迷子情報を放送波に含めて送信し、前記受信装置が、前記放送受信部により受信した放送波から前記迷子情報を取得する迷子情報取得部と、前記迷子情報に含まれる前記迷子画像の解析を行い、前記迷子画像と一致する、又は近似する画像が前記記録部に記録されているか否かを判定する画像解析部と、前記画像解析部により前記迷子画像と一致する、又は近似する画像が記録されていると判定された場合に、迷子に関する情報を報知する通知部とを備えていることを特徴としている。
【０００８】
この構成によると、本発明の情報通知システムは、放送波の送信を行う送信装置と、放送波の受信を行う受信装置とを含むように構成されている。送信装置は、所定地域、例えば地下街や遊園地等において発生した迷子の迷子画像を含む迷子情報を、放送波に含めて送信する。これを受けた受信装置は、迷子情報取得部により、放送波から迷子情報を抽出する。そして画像解析部により、迷子情報に含まれる迷子画像の解析を行い、迷子画像と一致する、又は近似する画像がメモリ等の記録部に記録されているか否かを判定する。記録されていると判定された場合、通知部が迷子に関する情報を報知する。これにより、予め記録してある子供の画像と、受信した迷子画像とが一致する場合に報知を行うことができるため、利用者は迷子の発生を迅速に知ることができる。また、利用者の移動により地域が変化したとしても、その都度、画像の登録を行う必要がない。
【０００９】
また上記の目的を達成するために本発明の情報通知システムは、前記送信装置が送信する放送波を受信し、放送波の分割及び多重を行うことにより生成した再送信波の送信を行う中継装置を含み、前記中継装置が、前記迷子情報を含む前記再送信波を生成して送信し、前記受信装置が備える前記迷子情報取得部が、前記放送受信部により受信した前記再送信波から前記迷子情報を取得することを特徴としている。
【００１０】
この構成によると、本発明の情報通知システムは、送信装置が送信する放送波を受信し、放送波の分割及び多重を行い、再送信波を生成して送信する中継装置を含むように構成されている。中継装置は、再送信波の生成の際に、迷子情報を含む放送波を多重して再送信波を生成する。受信装置が備える迷子情報取得部は、放送受信部により再送信波を受信し、再送信波から迷子情報を抽出する。このように中継装置を用いることにより、所定地域毎に中継装置を設置し、その地域において発生した迷子情報のみを送信することが可能である。
【００１１】
また上記の目的を達成するために本発明の情報通知システムは、前記迷子画像が迷子の顔画像を含み、前記画像解析部が、前記顔画像に対して顔識別処理を行うことにより、前記迷子画像と一致する、又は近似する画像が前記記録部に記録されているか否かを判定することを特徴としている。
【００１２】
この構成によると、迷子画像が迷子の顔画像を含み、画像解析部が、顔画像に対して顔識別処理を行うことにより、予め記録部に記録されている画像の人物と受信した迷子画像の人物とが同一人物であるか否かを判定する。このため利用者は、撮影が容易である顔写真を利用して、判定用の画像を登録することができる。
【００１３】
また上記の目的を達成するために本発明の情報通知システムは、前記迷子画像が迷子の指紋画像を含み、前記画像解析部が、前記指紋画像に対して指紋識別処理を行うことにより、前記迷子画像と一致する、又は近似する画像が前記記録部に記録されているか否かを判定することを特徴としている。
【００１４】
この構成によると、迷子画像が迷子の指紋画像を含み、画像解析部が、指紋画像に対して指紋識別処理を行うことにより、予め記録部に記録されている画像の人物と受信した迷子画像の人物とが同一人物であるか否かを判定する。このため利用者は、撮影が容易である指紋写真を利用して、判定用の画像を登録することができる。
【００１５】
また上記の目的を達成するために本発明の情報通知システムは、前記受信装置が、画像の撮像を行う撮像部と、前記撮像部により撮像された画像を、前記迷子画像と比較するための比較用画像として前記記録部に登録する画像登録部とを備え、前記画像解析部が、前記迷子画像と一致する、又は近似する前記比較用画像が前記記録部に記録されているか否かを判定し、記録されている場合に、前記通知部が、迷子に関する情報を報知することを特徴としている。
【００１６】
この構成によると、受信装置が、画像の撮像を行うカメラ等の撮像部を備えている。そして撮像部により撮像された画像を、迷子画像と比較するための比較用画像として記録部に登録する画像登録部を備えている。画像解析部は、迷子画像と一致する、又は近似する比較用画像が記録部に記録されているか否かを判定する。このため、例えば外出先であっても、子供の顔写真を撮像することにより、比較用画像を容易に登録することができる。
【００１７】
また上記の目的を達成するために本発明の受信装置は、放送波の受信を行う放送受信部、及び情報を記録する記録部を備えた受信装置において、前記放送受信部により受信した放送波から、予め定められた地域において発生した迷子に関連する迷子画像を含む迷子情報を取得する迷子情報取得部と、前記迷子情報に含まれる前記迷子画像の解析を行い、前記迷子画像と一致する、又は近似する画像が前記記録部に記録されているか否かを判定する画像解析部と、前記画像解析部により前記迷子画像と一致する、又は近似する画像が記録されていると判定された場合に、迷子に関する情報を報知する通知部とを備えていることを特徴としている。
【００１８】
この構成によると、本発明の受信装置は、迷子情報を含む放送波を放送受信部により受信し、迷子情報取得部により、放送波から迷子情報を抽出する。そして画像解析部により、迷子情報に含まれる迷子画像の解析を行い、迷子画像と一致する、又は近似する画像がメモリ等の記録部に記録されているか否かを判定する。一致する、又は近似する画像が記録されていると判定された場合、通知部が迷子に関する情報を報知する。
【００１９】
また上記の目的を達成するために本発明の受信装置は、携帯型のポータブルナビゲーション装置であることを特徴としている。
【００２０】
この構成によると、本発明の受信装置は、携帯型のポータブルナビゲーション装置として実現可能である。このため、利用者は受信装置を持ち歩くことにより、放送波を受信できる地域であれば、常に迷子情報を取得することができる。
【００２１】
また上記の目的を達成するために本発明の送信装置は、請求項１〜請求項５のいずれかに記載の情報通知システムに含まれる送信装置であって、放送波の送信を行う送信部と、予め定められた地域において発生した迷子に関連する迷子画像を含む迷子情報を、前記放送部が送信する放送波に含めて送信する迷子情報送信部とを備えたことを特徴としている。
【００２２】
この構成によると、本発明の送信装置は、上述の情報通知システムに含まれる送信装置であって、放送波の送信を行う送信部を備えている。また、予め定められた地域において発生した迷子に関連する迷子画像を含む迷子情報を、放送部が送信する放送波に含めて送信する迷子情報送信部とを備えている。このため、既存の放送波を利用して、迷子情報を不特定多数の人間に送信することが可能である。
【発明の効果】
【００２３】
本発明によれば、利用者は子供の画像を受信装置に一度登録するだけ、迷子情報通知システムを利用できる。このため、異なる施設へ行く度に画像を登録する必要がなく、登録の手間を省くことができる。また、登録画像と受信画像とが同一人物であると判定された場合のみ報知を行うため、迷子情報が必要な同伴者にのみ報知することができる。また、携帯用の受信装置で迷子情報が受信可能であるため、利用者は迷子情報を確認するために専用端末まで出向く必要がなく、所定地域内であればどこにいても迷子情報を受け取ることができる。
【発明を実施するための最良の形態】
【００２４】
以下に本発明の実施形態を、図面を参照しながら説明する。なお、ここで示す実施形態は一例であり、本発明はここに示す実施形態に限定されるものではない。
〈１．システム構成について〉
図２は、本発明の一実施形態に係る迷子情報通知システム（＝情報通知システム）の構成を示すブロック図である。本発明の迷子情報通知システムは少なくとも、ポータブルナビゲーション装置１００（＝受信装置）、放送局２００（＝送信装置）、及び放送中継装置２０１（＝中継装置）を含むように構成されている。
【００２５】
放送局２００は、画像情報、音声情報、及び迷子情報等を含む各種情報が多重化された放送信号を発信する。放送局２００は例えば、１チャンネルが１３のセグメントに分割されている地上デジタル放送波を発信する。
【００２６】
放送中継装置２０１は、放送局２００より受信したデジタル放送波の中継を行う。また放送中継装置２０１は、単に中継を行うだけではなく、デジタル放送波に含まれる情報の分割及び多重を行う、ギャップフィラー装置としての機能を備えている。これにより放送中継装置２０１は、一つのチャンネルで複数の放送局のワンセグ情報を束ねて再送信することが可能である。
【００２７】
放送中継装置２０１の機能について、図４を用いてさらに詳しく説明する。図４は、放送中継装置２０１が再送信波９２を生成するのを模式的に表した図である。図４の上部は、放送局２００が送信する放送波９０を示している。放送波９０は、複数のチャンネル（チャンネルＡ〜チャンネルＨ）から構成される。また図４の中部は、放送中継装置２０１が生成する再送信波９２を示している。また図４の下部は、再送信波９２のセグメント構造の詳細を示している。
【００２８】
地上デジタル放送においては、チャンネルに割り当てられた周波数（６ＭＨｚ）を、１３のセグメントに分割して使用することが可能である。このうち、１セグメントに相当するワンセグ帯域９１だけを使用して情報の配信を行う移動体向け放送サービスが、ワンセグサービスである。
【００２９】
放送中継装置２０１は、各チャンネルのワンセグ帯域９１のみを取り出して多重することが可能である。これにより例えば、最大１３チャンネルのワンセグ帯域９１を１チャンネルにまとめた再送信波９２を生成し、再送信することが可能である。なお、再送信波９２の各セグメント（図４の＃００〜＃１２）で伝送する情報は、デジタル放送信号９０から抽出したワンセグ帯域９１の情報に限定されない。
【００３０】
このため、空きセグメント（図４の例ではセグメント＃０１やセグメント＃１１）に所定の独自情報９３を含めることにより、放送中継装置２０１が再送信波９２を送信する限られた地域、例えば地下街や遊園地等に限定した情報配信サービスを行うことが可能である。
【００３１】
本実施形態の放送中継装置２０１は、上記の独自情報９３を送信するセグメントに、迷子情報、特に迷子の顔画像や指紋画像等を含めて送信する。なお、再送信波９２の周波数や強度は、電波法の制限の範囲内で、運用の形態にあわせて適宜変更可能である。
【００３２】
ポータブルナビゲーション装置１００は、本発明の迷子情報通知システムの利用者が所有する受信装置である。ポータブルナビゲーション装置１００はその内部に、デジタル放送受信装置を備えている。ポータブルナビゲーション装置１００は通常、車両等の移動体に搭載されて使用される。また、利用者が車から下りる際に取り外しを行うことにより、車外でもデジタル放送の受信等を行うことが可能である。
〈２．受信装置の構成について〉
ここで、本発明の一実施形態に係るポータブルナビゲーション装置１００の概略構成を、図１のブロック図を用いながら説明する。アンテナ１０（＝放送受信部）は、放送局２００より送信された放送波９０や、放送中継装置２０１より送信された再送信波９２を受信する。受信部１１（＝放送受信部）は、放送波の復調及び選局を行い、トランスポートストリーム（ＴＳ : Transport Stream）信号を生成する。
【００３３】
ＴＳ分離部１２は、受信部１１により生成されたＴＳ信号を受けて、ＴＳ信号を画像情報、音声情報、その他情報に分離する。その他情報の一例としては、例えばデータ放送に用いられるＢＭＬ（Broadcast Markup Language）文書データ等を用いることができる。本実施形態では、このＢＭＬ文書データの中に、迷子情報が含まれている。分離された画像情報はビデオデコーダ１５へ、音声情報はオーディオデコーダ１３へ、その他情報は制御部２０へ与えられる。
【００３４】
オーディオデコーダ１３は、ＴＳ分離部１２より与えられた音声情報を音声信号にデコードする。音声処理部１４は、音声信号のＤ／Ａ変換を行い、アナログ音声信号をオーディオ出力部から出力する。なお、図示していないが、オーディオ出力部にはスピーカ等のオーディオ出力機器が接続可能であり、これらの出力機器から音声が出力される。また音声処理部１４は必要に応じて、後述する迷子情報生成部２３から供給される迷子詳細情報と音声情報とを合成する。
【００３５】
ビデオデコーダ１５は、ＴＳ分離部１２より与えられた画像情報を画像信号にデコードする。画像処理部１６は、画像信号のＤ／Ａ変換を行い、アナログ画像信号をビデオ出力部から出力する。なお、図示していないが、ビデオ出力部には液晶パネル等の表示装置が接続可能であり、これらの表示装置に画像が表示される。また画像処理部１６は、必要に応じて迷子情報生成部２３から供給される迷子詳細情報と画像情報とを合成し、アナログ画像信号に変換して、ビデオ出力部から出力する。
【００３６】
メモリ１７（＝記録部）は、各種情報を記録するための不揮発性の記録媒体である。本実施形態においては例えば、利用者が迷子情報通知システムを利用する際に使用される、比較用画像等を記録しておくのに用いられる。
【００３７】
制御部２０は、ポータブルナビゲーション装置１００の各部材の駆動を有機的に制御して、放送受信処理等を統括制御するものである。また制御部２０は、各装置を統括制御するための中央処理装置である。また制御部２０は、制御部２０が備える演算処理装置上でプログラムを実行することにより実現される機能部として、迷子情報取得部２１、画像解析部２２、迷子情報生成部２３（＝通知部）、及び画像登録部２４を備えている。
【００３８】
迷子情報取得部２１は、迷子情報を取得するための処理部である。具体的には、ＴＳ分離部１２が出力する各情報の中から、ＢＭＬ文書データを取得し、ＢＭＬ文書データに含まれる迷子情報を抽出する。なお迷子情報と他情報の判別方法としては、例えば迷子情報を示す情報識別子が放送中継装置２０１により付加されており、迷子情報取得部２１がこの情報識別子を参照することにより、迷子情報か否かを判定する。取得された迷子情報は、次の画像解析部２２及び迷子情報生成部２３に与えられる。
【００３９】
画像解析部２２は、迷子情報に含まれる迷子画像の人物が、予め登録されている画像の人物と同一か否かを判定する。具体的には、メモリ１７に予め記録されている比較用画像、例えば子供の顔画像と、迷子情報取得部２１により取得された迷子情報に含まれる迷子画像とを画像認証によりその特徴点を比較し、同一人物であるか否かの判定を行う。同一人物であると判定された場合、次の迷子情報生成部２３に対して、迷子の詳細情報を通知するための各種情報の生成指示を与える。
【００４０】
なお画像解析部２２が用いる比較用画像は顔画像に限定されるものではなく、例えば指紋画像等を比較用画像として用いる形態でもよい。この場合、メモリ１７に予め子供の指紋画像が登録されており、この画像と、迷子情報取得部２１により取得された迷子情報に含まれる指紋画像とが一致するかにより、同一人物か否かを判定する。
【００４１】
迷子情報生成部２３は、画像解析部２２からの指示を受けて、迷子の詳細情報を通知するための各種情報の生成を行う。具体的には例えば、迷子情報取得部２１より与えられた迷子情報に含まれている迷子発見日時、迷子発見場所等を示す画像を生成し、画像処理部１６に与える。又は、上記内容を示す音声を生成し、音声処理部１４に与える。これにより、迷子の発生、及び詳細情報を利用者に通知することが可能である。併せて、ランプ（不図示）やバイブレーション機能等により、利用者に通知を行う形態であってもよい。
【００４２】
画像登録部２４は、利用者が予め比較用画像をメモリ１７に登録するための機能部である。画像登録部２４は、例えばポータブルナビゲーション装置１００にカメラ（不図示）が備えられており、このカメラで撮影した顔画像を比較用画像としてメモリ１７に登録する。これにより例えば、外出先であっても、子供の顔を撮像することにより、容易に比較用画像を登録することができる。或いは、外部接続端子（不図示）に接続されたメモリカードやケーブル等から入力された画像を、比較用画像としてメモリ１７に登録する形態でもよい。
〈３．迷子情報取得処理について〉
以上に説明した迷子情報通知システム、及びポータブルナビゲーション装置１００における迷子情報取得処理について、図３のフロー図を用いながら説明する。図３は、ポータブルナビゲーション装置１００の電源が起動状態であり、且つデジタル放送の受信指示を制御部２０が検知した際に開始される。なお受信指示は、例えばポータブルナビゲーション装置１００が備える操作ボタン（不図示）により所定の操作を受け付けた場合等に発行される。
【００４３】
本処理の開始後、制御部２０はステップＳ１１０において、アンテナ１０や受信部１１等を用いたデジタル放送受信処理を実施する。これにより、選局されたチャンネルの放送波９０、又は再送信波９２がアンテナ１０によって受信され、受信部１１でＴＳ信号に復号される。そしてＴＳ分離部１２により、ＴＳ信号から音声情報、画像情報、ＢＭＬ文書データ等が抽出、分離される。
【００４４】
ＴＳ分離部１２でＴＳ信号から分離された画像情報及び音声情報は、オーディオデコーダ１３〜画像処理部１６を介して、出力される。
【００４５】
次に迷子情報取得部２１はステップＳ１２０において、ＴＳ信号から分離された情報の中に、迷子情報が存在するかどうかの判定を行う。なお迷子情報は、例えばデータ放送に用いられるＢＭＬ文書データ等の中に含まれている。
【００４６】
ステップＳ１２０において迷子情報が検知されなかった場合、後述するステップＳ１８０に移行する。迷子情報が検知された場合、画像解析部２２はステップＳ１３０において、迷子情報取得部２１で取得された迷子情報に含まれる迷子画像と、メモリ１７に予め記録されている比較用画像とを比較する。
【００４７】
比較の結果、両画像が示す人物が同一人物ではないと判定された場合、後述するステップＳ１８０に移行する。同一人物であると判定された場合、制御部２１はステップＳ１４０において、迷子の発生を示す通知処理を行う。例えば、ランプ（不図示）の点灯や点滅、バイブレーション機能部（不図示）による振動の実施等を制御することにより、利用者に迷子情報検知を知らせる。併せて、画像解析部２２から迷子情報生成部２３に対して、迷子画像が与えられる。
【００４８】
次に迷子情報取得部２１はステップＳ１５０において、迷子情報生成部２３に対して、迷子画像を除く、その他の迷子情報を与える。これを受けた迷子情報生成部２３は、ステップＳ１６０において、迷子の詳細情報を示す画像及び音声を生成し、音声処理部１４及び画像処理部１６に与える。
【００４９】
これを受けた音声処理部１４及び画像処理部１６は、ステップＳ１７０において、現在出力中の画像や音声、例えば利用者が視聴している番組の画像や音声に、上記の詳細情報を示す画像及び音声の合成を行う。なお、合成する画像又は音声の一例としては、例えば画像解析部２２が比較に使用した両画像（＝受信した迷子画像、及びメモリ１７に記録されている比較用画像）や、受信した迷子情報に含まれている迷子発見日時、又は迷子発見場所を示す画像等を用いることが可能である。
【００５０】
次に音声処理部１４及び画像処理部１６はステップＳ１８０において、オーディオ出力やビデオ出力から、合成処理により生成された画像や音声を出力する。なお、ステップＳ１２０やステップＳ１３０から直接ステップＳ１８０に移行した場合は、利用者が選局したチャンネルの画像や音声、つまり合成処理が行われていない情報をそのまま出力する。
【００５１】
次に制御部２０はステップＳ１９０において、デジタル放送の受信停止指示を検知したかどうかの判定を行う。受信停止指示を検知した場合、本処理を終了する。検知していない場合は、ステップＳ１１０に再び移行する。なお受信停止指示は例えば、利用者が受信停止ボタン（不図示）を押下した場合や、ポータブルナビゲーション装置１００の電源を停止した場合等に発行される。
【００５２】
以上に説明した本実施形態によれば、利用者は子供の画像を一度登録するだけで、受信する迷子情報に自分の子供が含まれているか否かを知ることができる。また、ポータブルナビゲーション装置１００は、利用者が登録した比較用画像と同一人物の画像である場合のみ、利用者に必要な迷子情報を通知するため、迷子情報が必要な人物にのみ通知することができる。また、ポータブルナビゲーション装置１００は持ち運び可能であるため、利用者は迷子検索端末機まで出向く必要がなく、所定地域内であれば、どこにいても迷子情報を受け取ることができる。
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００５３】
従って本発明は、以下の形態にも適用可能である。
【００５４】
（Ａ）上記実施形態では、画像解析部２２が、同一人物か否かを判定するのに用いる画像として顔画像、又は指紋画像を例に説明を行っているが、人物を特定できる画像であれば、これら以外の画像、例えば角膜画像等を用いて判定を行う形態でもよい。
【００５５】
（Ｂ）上記に関連して、同一人物か否かを判定する方法として、画像ではなく音声を用いる形態でもよい。この場合、予めメモリ１７に子供の音声を比較用音声として登録しておく。そして放送波に含まれる迷子の音声と、登録されている比較用音声との声紋認識を行い、声紋が一致する場合に同一人物であると判定する。
【００５６】
（Ｃ）上記実施形態では、本発明の受信装置の一例としてポータブルナビゲーション装置１００を例に説明を行っているが、これ以外の受信装置で本発明を実施する形態でもよい。例えば、デジタル放送受信機能付き携帯電話、ポータブルテレビ、ＰＤＡ、ノートパソコン等において実施する形態でもよい。
【００５７】
（Ｄ）上記実施形態では、受信装置であるポータブルナビゲーション装置１００が、デジタル放送受信機能に関連する装置と、迷子情報の解析機能に関連する装置とを同一筐体に収容しているが、必ずしも同一筐体である必要はない。例えば、デジタル放送受信装置と迷子情報解析装置が相互に通信部を備え、通信部を介して迷子情報のデータ転送を行うことにより、上記と同様の動作をさせる形態であってもよい。
【００５８】
（Ｅ）上記実施形態では、ポータブルナビゲーション装置１００が放送中継装置２０１から再送信波９２を受けることにより迷子情報を取得しているが、これ以外の放送波に迷子情報が含まれている形態でもよい。例えば、放送局２００から送信される放送波９０に迷子情報が含まれており、ポータブルナビゲーション装置１００が放送局２００から受信した放送波９０より迷子情報を取得する形態でもよい。
【００５９】
（Ｆ）上記実施形態では、本発明の迷子情報通知処理に関わるポータブルナビゲーション装置１００の各種機能部が、マイクロプロセッサ等の演算処理装置上でプログラムを実行することにより実現されているが、これらが複数の回路により実現される形態でもよい。
【図面の簡単な説明】
【００６０】
【図１】本発明の受信装置をポータブルナビゲーション装置に適応した場合の内部構成を示すブロック図である。
【図２】本発明の情報通知システムのシステム構成を示す模式図である。
【図３】迷子情報受信処理を示すフロー図である。
【図４】放送中継装置が行う放送中継処理の一例を示す模式図である。
【符号の説明】
【００６１】
１００    ポータブルナビゲーション装置（受信装置）
１０      アンテナ（放送受信部）
１１      受信部（放送受信部）
１４      音声処理部
１６      画像処理部
１７      メモリ（記録部）
２０      制御部
２１      迷子情報取得部
２２      画像解析部
２３      迷子情報生成部（通知部）
２４      画像登録部
９０      放送波
９２      再送信波
２００    放送局（送信装置）
２０１    放送中継装置（中継装置）
【図１】
2010033487.tif 000003
【図２】
2010033487.tif 000004
【図３】
2010033487.tif 000005
【図４】
2010033487.tif 000006